(57)【要約】      （修正有）【課題】設定衝突位置に対する実際の衝突部位のずれを、簡単な方法でより小さくし、衝突試験の精度を高める。【解決手段】各牽引解放位置Ｆ1,Ｆ2からそれぞれの設定衝突位置Ｒ1,Ｒ2に向けて空走する時の減速を踏まえた各平均空走速度Ｖａ1,Ｖａ2を定めるべく高速車Ａ1及び低速車Ａ2の準備走行試験等を行い、低速車Ａ2の前記設定走行速度Ｖ2に対する第２平均空走速度Ｖａ2の減速の度合に応じて、低速車Ａ2が自身の設定衝突位置Ｒ2に到達するのに遅れる遅れ時間ΔＴ2に、低速車Ａ2が空走する予定の未走距離Ｌ2(Δｔ2)と、高速車Ａ1の前記設定走行速度Ｖ1に対する第１平均空走速度Ｖａ1の減速の度合に応じて、高速車Ａ1が自身の設定衝突位置Ｒ1に到達するのに遅れる遅れ時間ΔＴ1に、低速車Ａ2が空走する仮想未走距離Ｌ2(Δｔ1)との差を補正距離ΔＬ2として求め、低速車Ａ2のスタート位置Ｓ2を、補正距離ΔＬ2だけずらして衝突試験を行う。【選択図】図４
2005274246.tif 000002
【特許請求の範囲】
【請求項１】
第１及び第２の各テスト車両同士を、牽引手段により各スタート位置（Ｓ1),(Ｓ2）から同時にスタートするように、それぞれの設定走行速度（Ｖ1),(Ｖ2）で牽引走行させ、所定の各牽引解放位置（Ｆ1),(Ｆ2）にて牽引手段を解放した後に設定衝突位置（Ｒ1),(Ｒ2）まで空走させながら、この位置でテスト車両同士を衝突させる試験方法であって、
予め、各牽引解放位置（Ｆ1),(Ｆ2）からそれぞれの設定衝突位置（Ｒ1),(Ｒ2）に向けて空走する時の減速を踏まえた平均空走速度（Ｖａ1),(Ｖａ2）を定めるべく第１及び第２の各テスト車両の準備走行試験等を行い、
この後に、第１及び第２の各テスト車両のいずれか一方のテスト車両の前記設定走行速度（Ｖ1),(Ｖ2)に対する一方の平均空走速度（Ｖａ1),(Ｖａ2)の減速の度合に応じて、一方の車両が自身の設定衝突位置（Ｒ1),(Ｒ2)に到達するのに遅れる遅れ時間（ΔＴ1),(ΔＴ2）に、一方の車両が空走する予定の未走距離〔Ｌ1(Δｔ1)〕,〔Ｌ2(Δｔ2)〕と、他方のテスト車両の前記設定走行速度(Ｖ2),(Ｖ1)に対する他方の平均空走速度（Ｖａ2),(Ｖａ1)の減速の度合に応じて、他方のテスト車両が自身の設定衝突位置（Ｒ2),(Ｒ1)に到達するのに遅れる遅れ時間（ΔＴ2),(ΔＴ1)に、一方のテスト車両が空走する仮想未走距離〔Ｌ1(Δｔ2)〕,〔Ｌ2(Δｔ1)〕との差を補正距離(ΔＬ1),(ΔＬ2）として求め、
そして、いずれか一方又は両方のテスト車両のスタート位置(Ｓ1),(Ｓ2）を、補正距離(ΔＬ1),(ΔＬ2）に相当する分だけずらして衝突試験を行うことを特徴とする車両衝突試験方法。
【請求項２】
第１及び第２の各テスト車両の衝突形態は、衝突角度が１８０°の正面衝突等以外の形態であって、
第１及び第２の各テスト車両のうち少なくとも一方の前記設定衝突位置（Ｒ1),(Ｒ2）は、それぞれのテスト車両の各走行線の交点であるみなし衝突位置（Ｐ）に対して、一方のオフセット距離（Ｌd1),(Ｌd2)だけずれて設定されていることを特徴とする請求項１に記載の車両衝突試験方法。
【請求項３】
第１及び第２の各テスト車両の設定走行速度（Ｖ1),(Ｖ2）は、それぞれ異なることを特徴とする請求項１又は２に記載の車両衝突試験方法。
【発明の詳細な説明】
【技術分野】
【０００１】
本発明は、特に２台のテスト車両の衝突試験において、各テスト車両が実際に衝突する位置を衝突形態に合わせた設定衝突位置にできるだけ近付け、衝突試験精度を高める試験方法に関するものである。
【背景技術】
【０００２】
車両衝突試験装置は、ドーリー装置１（牽引手段）を介して無端ロープ状の牽引ワイヤー２でテスト車両を牽引しながら所定の試験速度で走行させ、これを衝突バリアに衝突させたり、或いは２台のテスト車両どうしを衝突させて、その損壊状況を試験するための装置である。図２は、本発明に係る車両衝突試験装置の簡略図であって、以下これを援用して従来例について説明する。衝突試験を行うには、ガイドレールＧ1の内部に走行可能に装着されたドーリー装置１にトランスポートワイヤー４を取付けてこれをテスト車両Ａ1'に引っ掛けて連結し、該車両Ａ1'を規定のスタート位置Ｓ1に配置する。前記テスト車両Ａ1'を、前記ドーリー装置１で牽引走行させ、ガイドレールＧ1に沿って誘導しながら、設定走行速度Ｖ1で走行面上を直進走行させる。そして、所定の牽引解放位置Ｆ1に達した時点で、ガイドレールＧ1に装着されたストライカー５によって、ドーリー装置１を制止させながら前記牽引ワイヤー２を切り離して牽引状態を解放する。この後に、該テスト車両Ａ1'は、衝突バリアや他のテスト車両に衝突すべく設定衝突位置Ｒ1まで単独で空走する。図２の６は、撮影機材等を収容するためのピットである。衝突試験を行うには、このピット６のためのスペースや、前記ストライカー５の装着スペースも必要なため、設定衝突位置Ｒ1直前まで車両Ａ1'を牽引することができずに空走を避けられない。よって、設定走行速度Ｖ1と空走速度との速度差に応じて、設定された衝突位置Ｒ1と実際の空走位置との間にずれが生じ、衝突試験結果の損壊状況が適正に再現されなかった。以下の説明で空走距離とは、テスト車両が前記解放位置Ｆ1にて牽引を解放されてから、設定衝突位置Ｒ1において相手のテスト車両等の被衝突物と衝突するまでに、それぞれの慣性により走行する距離として定める。一般に、衝突試験において必要とされる空走距離は、５〜１０ｍ程度である。
【０００３】
そして、空走時には、車両の内部機構のロス（ギアや軸受の摩擦によるメカロス）、タイヤのころがり抵抗、空走時に車両が受ける空気抵抗等によって設定走行速度Ｖ1から幾らか減速された状態での衝突を余儀なくされる。ここで、例えば１台のテスト車両を衝突バリアに衝突させる試験においては、バリアに衝突する直前での直前空走速度Ｖ’を予め知ることによって試験速度の補正を行っていた。即ち、牽引解放前の設定走行速度Ｖ1と前記直前空走速度Ｖ’との速度差ΔＶ'(＝Ｖ1−Ｖ'）を、前記走行速度Ｖ1に加算した補正走行速度Ｖ1'（＝Ｖ1＋ΔＶ’）にてテスト車両Ａ1'を牽引しながら、補正前と同様の条件で衝突させることで空走時の減速による問題を解決していた。
【０００４】
例えば、空走時の減速分を補正した従来の衝突試験方法（特許文献１）では、前記牽引ワイヤーの巻取ドラムを駆動するモータに、速度検出機等や自動制御部を取付けてスタート直後のテスト車両の加速時の速度変化を検出し、この検出値よりテスト車両の慣性モーメントや走行抵抗を演算し、更にこれらの数値より前記速度差ΔＶ'を演算して補正走行速度Ｖ1'を定め、牽引手段解放前の車両の走行速度を前記モータを制御することによって補正走行速度Ｖ1'に補正する方法が挙げられている。
【特許文献１】特開平８−１４５８３８号公報
【０００５】
また、２台の第１テスト車両と第２テスト車両との側面衝突試験においては、各テスト車両のみなし衝突位置Ｐに対する第１及び第２の各オフセット距離Ｌd1,Ｌd2を定め、この分だけ各テスト車両のスタート位置Ｓ1,Ｓ2をずらして補正することによって、前記両車両同士をそれぞれの設定衝突位置Ｒ1,Ｒ2で衝突させようとしていた。みなし衝突位置Ｐとは、第１テスト車両及び第２テスト車両のそれぞれの車幅を２分割する仮想線の延長線であって、前記各車両用のガイドレールＧ1,Ｇ2の同じく２分割線に相当する各走行線Ｍ1,Ｍ2（図１参照）の交点を指し、仮想的に衝突するとみなされる位置である。通常、各スタート位置Ｓ1,Ｓ2は、前記みなし衝突位置Ｐを原点として、ここから起算して全走行距離Ｌ1(S-P),Ｌ2(S-P)だけ、前記各走行線Ｍ1,Ｍ2に沿って離れた位置に定められる。全走行距離Ｌ1(S-P),Ｌ2(S-P)は、それぞれの設定走行速度Ｖ1,Ｖ2に、スタート後みなし衝突位置Ｐに到達すると想定される仮想衝突時刻Ｔciを乗じた距離であって、５０〜１００ｍ程度の範囲に定められている。なお、第１テスト車両と第２テスト車両とは、それぞれの牽引ワイヤーの巻取ドラムを駆動する１つのモータによって牽引され、従って同一駆動源の駆動力が分岐された状態で同期走行するので、各車両の衝突試験のスタート時刻も同じタイミングとなる。
【０００６】
以下、図１の本発明に係る側面衝突試験の模式図を援用して説明する。２台のテスト車両は、それぞれ各設定走行速度Ｖ1,Ｖ2（Ｖ1＞Ｖ2）が異なる高速車（第１テスト車両）Ａ1及び低速車（第２テスト車両）Ａ2であって、衝突試験は、高速車Ａ1及び低速車Ａ2の互いの走行線Ｍ1,Ｍ2が直交した状態で、低速車Ａ2のボディ側面に向けて、高速車Ａ1が衝突角度９０°で突っ込む側面衝突の形態を想定したものである。高速車Ａ1のフロント部が、低速車Ａ2の車幅の約半分の長さに相当するオフセット距離Ｌd1だけ、みなし衝突位置Ｐよりもスタート側の設定衝突位置Ｒ1まで空走し、低速車Ａ2のフロント部が、その車長の約５分の２の長さに相当するオフセット距離Ｌd2だけ、みなし衝突位置Ｐよりも反スタート側の設定衝突位置Ｒ2まで空走した瞬間に、低速車Ａ2の運転席付近を狙って高速車Ａ1が突っ込むように衝突させる。この形態で衝突させるために、高速車Ａ1側のスタート位置Ｓ1を、オフセット距離Ｌd1だけスタート側に、低速車Ａ2側のスタート位置Ｓ2をオフセット距離Ｌd2だけ反スタート側に移動させて補正する。これによって、補正後の各スタート位置から高速車Ａ1及び低速車Ａ2が同時にスタートした後、仮想衝突時刻Ｔciでのそれぞれの空走位置を、みなし衝突位置Ｐからそれぞれオフセット距離Ｌd1,Ｌd2だけスタート側及び反スタート側の各設定衝突位置Ｒ1,Ｒ2に近付けられる。なお、スタート位置や牽引解放位置等の「位置」とは、テスト車両のフロント部先端の位置と同等とし、それらの変更作業は、具体的には、ガイドレールＧ1に装着されたドーリー装置１を移動させながら、これと牽引ワイヤー２との連結位置を変更したり、ストライカー５のガイドレールＧ1への取付位置を変更することによって行われる。
【０００７】
しかしながら、前記各オフセット距離Ｌd1,Ｌd2のみを補正対象とするこの方法では、前述した空走時の減速分が全く考慮されていないので、これによって設定衝突位置Ｒ1,Ｒ2と実際の衝突部位とのずれが非常に大きくなり、衝突すべき部位とかけ離れた部位にて衝突し、この結果、衝突試験精度が低下して適正な衝突試験結果が得られないという問題が生じていた。
【発明の開示】
【発明が解決しようとする課題】
【０００８】
本発明は、テスト車両同士の衝突試験において、オフセット距離分の補正のみならず、２台のテスト車両のそれぞれの空走時の減速の度合をも加味した補正を行うことによって、設定衝突位置に対する実際の衝突部位のずれを、簡単な方法でより小さくし、衝突試験の精度を高めることを課題としている。
【課題を解決するための手段】
【０００９】
上記の課題を解決するために請求項１の発明は、第１及び第２の各テスト車両同士を、牽引手段により各スタート位置Ｓ1,Ｓ2から同時にスタートするように、それぞれの設定走行速度Ｖ1,Ｖ2で牽引走行させ、所定の各牽引解放位置Ｆ1,Ｆ2にて牽引手段を解放した後に設定衝突位置Ｒ1,Ｒ2まで空走させながら、この位置でテスト車両同士を衝突させる試験方法であって、まず、各牽引解放位置Ｆ1,Ｆ2からそれぞれの設定衝突位置Ｒ1,Ｒ2に向けて空走する時の減速を踏まえた平均空走速度Ｖａ1,Ｖａ2を定めるべく第１及び第２の各テスト車両の準備走行試験等を行い、第１及び第２の各テスト車両のいずれか一方のテスト車両の前記設定走行速度Ｖ1(Ｖ2)に対する一方の平均空走速度Ｖａ1(Ｖａ2)の減速量に応じて、一方の車両が自身の設定衝突位置Ｒ1(Ｒ2)に到達するのに遅れる遅れ時間ΔＴ1(ΔＴ2)に、一方の車両が空走する予定の未走距離Ｌ1(Δｔ1)〔Ｌ2(Δｔ2)〕と、他方のテスト車両の前記設定走行速度Ｖ2(Ｖ1)に対する他方の平均空走速度Ｖａ2(Ｖａ1)の減速量に応じて、他方のテスト車両が自身の設定衝突位置Ｒ2(Ｒ1)に到達するのに遅れる遅れ時間ΔＴ2(ΔＴ1)に、一方のテスト車両が空走する仮想未走距離Ｌ1(Δｔ2)〔Ｌ2(Δｔ1)〕との差を補正距離ΔＬ1(ΔＬ2)として求め、そして、いずれか一方又は両方のテスト車両のスタート位置Ｓ1(Ｓ2)を、補正距離ΔＬ1(ΔＬ2)に相当する分だけずらして衝突試験を行うことを特徴としている。
【００１０】
請求項１の発明によれば、本衝突試験の前に予め準備走行試験を行うことによって、第１及び第２の各テスト車両の空走時における平均空走速度を求めることにより、各テスト車両の牽引走行時に対する空走時の各減速の度合を予め算出して、該度合に差がある場合には、いずれか一方のテスト車両のスタート位置をずらして、テスト車両同士を設定衝突位置で衝突させることにより衝突位置の精度を高めている。これによって、各テスト車両を牽引走行させる装置の牽引速度、即ち牽引走行装置を構成する駆動モータの回転数を制御する等の複雑な制御を行うことなく、予め準備走行試験等を行って上記した「各テスト車両の減速の度合」を算出することにより、テスト車両同士を目的の部位同士で衝突させられて、衝突試験の精度が高められる。
【００１１】
請求項２の発明は、請求項１に記載の発明において、第１及び第２の各テスト車両の衝突形態は、衝突角度が１８０°の正面衝突等以外の形態であって、第１及び第２の各テスト車両のうち少なくとも一方の前記設定衝突位置Ｒ1(Ｒ2）は、それぞれのテスト車両の各走行線の交点であるみなし衝突位置Ｐに対して、一方のオフセット距離Ｌd1(Ｌd2)だけずれて設定されていることを特徴としている。
【００１２】
各テスト車両の衝突形態が正面衝突以外の形態、即ち側面衝突、斜め側面衝突の場合には、衝突位置のずれは、各テスト車両の衝突部位の大きなずれとなって現れて、衝突試験精度の低下が特に大きくなり、試験目的を達成できない。しかし、請求項２の発明によれば、請求項１の発明の作用効果に加えて、各テスト車両の設定衝突位置を、「オフセット距離」を考慮した各テスト車両の空走距離の一端として、各テスト車両の空走時の減速の度合を算出しているために、上記した側面衝突、斜め側面衝突における衝突試験精度が高められる。
【００１３】
請求項３の発明は、請求項１又は２に記載の発明において、第１及び第２の各テスト車両の設定走行速度Ｖ1,Ｖ2は、それぞれ異なることを特徴としている。
【００１４】
請求項３の発明によれば、請求項１又は２に記載の発明の作用効果に加えて、各テスト車両の設定走行速度が異なる場合には、各走行速度の差自体が各テスト車両の衝突部位の大きなずれを生じさせる一因となるが、各テスト車両の空走時の減速度合を算出することによって、各走行速度の差を加味しているために、異速度衝突試験の精度が高められる。
【発明の効果】
【００１５】
本発明によれば、２台のテスト車両同士の衝突試験において、各テスト車両の平均空走速度を定めることによって、牽引解放前後の減速の度合を一定値とみなし、各テスト車両のいずれか一方のテスト車両の減速の度合に応じて、一方のテスト車両が自身の設定衝突位置に達せずに空走している位置と設定衝突位置との間の距離、即ち未走距離と、他方のテスト車両の減速の度合に応じて、他方のテスト車両が自身の設定衝突位置に達せずに空走している時間内に、一方のテスト車両が空走可能な距離、即ち仮想未走距離との差を補正距離とし、補正距離だけ一方か又は両方のテスト車両のスタート位置をずらすことによって、各テスト車両のそれぞれの空走時の減速の度合をも加味した補正を行い、衝突試験の精度を高めることができる。
【発明を実施するための最良の形態】
【００１６】
本発明の車両衝突試験の実施形態として、従来例の異速度走行する２台のテスト車両による側面衝突の場合について例示する。既述したとおり、それぞれの設定走行速度Ｖ1,Ｖ2（Ｖ1＞Ｖ2）が異なる高速車Ａ1及び低速車Ａ2を使用した側面衝突試験は、高速車Ａ1が低速車Ａ2のボディ側面に向けて衝突角度９０°で突っ込む形態を想定した試験である。互いの走行線Ｍ1,Ｍ2は直交しており、高速車Ａ1のフロント部が、オフセット距離Ｌd1だけ前記みなし衝突位置Ｐよりもスタート側の設定衝突位置Ｒ1に到達するまで空走し、低速車Ａ2のフロント部が、オフセット距離Ｌd2だけ同じく反スタート側の設定衝突位置Ｒ2に到達するまで空走した時点で側面衝突させるべく試験を行う。また、以下の説明において、高速車Ａ1を「第１」テスト車両、低速車Ａ2を「第２」テスト車両とみなし、各種の概念についても、高速車Ａ1に関連するものには「第１」、低速車Ａ2に関連するものには「第２」の接頭語を適宜付した。
【００１７】
側面衝突試験を行うためには、予め高速車Ａ1及び低速車Ａ2の各平均空走速度Ｖａ1,Ｖａ2を定めるための準備走行試験を行う。これにより、牽引解放後の空走時の空走速度をも牽引解放前と同様に一定値とみなし、それぞれのテスト車両のメカロス機構等に起因して多くの場合車両毎に異なる牽引解放前後の速度差、即ち減速の度合を一定値として算出することができる。このために、例えば、高速車Ａ1及び低速車Ａ2が、それぞれの各空走距離Ｌ1(F-R),Ｌ2(F-R)のほぼ１／２長の地点を空走する時の速度を、各平均空走速度Ｖａ1,Ｖａ2として簡易的に定める方法がある。ドーリー装置１に牽引される高速車Ａ1を設定走行速度Ｖ1で走行させながら、牽引解放位置Ｆ1にてドーリー装置１から切り離して空走させ、前記ガイドレールＧ1(走行線Ｍ1)上の空走速度測定位置Ｘ1到達時の空走速度を所定の方法で測定し、同様に低速車Ａ2についても、空走速度測定位置Ｘ2到達時の空走速度を求める（図２参照）。前記各設定走行速度Ｖ1,Ｖ2に対するそれぞれの空走速度の速度差より、高速車Ａ1及び低速車Ａ2が設定衝突位置Ｒ1,Ｒ2直前、即ち空走距離Ｌ1(F-R),Ｌ2(F-R)だけ空走した時の同じく速度差を比例的に求め、これを更に２分して平均的な減速の度合とすることによって、例えば下式(1),(2)に従って前記各平均空走速度Ｖａ1,Ｖａ2を算出する。なお、前記中間地点での空走速度をより正確に算出するために、前記各空走速度測定位置Ｘ1,Ｘ2は、それぞれの設定衝突位置Ｒ1,Ｒ2になるべく近いことが望ましい。
【００１８】
それぞれの牽引解放位置Ｆ1,Ｆ2から各空走速度測定位置Ｘ1,Ｘ2まで各測定距離をＬ1(F-X),Ｌ2(F-X)、各空走速度測定位置Ｘ1,Ｘ2でのそれぞれの空走速度をＶx1,Ｖx2で表す。
Ｖａ1＝Ｖ1−[(Ｖ1−Ｖx1）×〔Ｌ1(F-R)〕]／２〔Ｌ1(F-X)〕     （1）
Ｖａ2＝Ｖ2−[(Ｖ2−Ｖx2）×〔Ｌ2(F-R)〕]／２〔Ｌ2(F-X)〕     （2）
【００１９】
図３及び図４は、本実施形態の側面衝突試験について、高速車Ａ1及び低速車Ａ2がスタート時から衝突に至る時間内に、それぞれ走行又は空走する距離変化を示すグラフであって、図３は、スタート時から衝突時までの全体の時刻変化に対するもので、図４は、主に衝突直前の変化について、拡大表示したものである。グラフ縦軸の距離Ｌは、前記みなし衝突位置Ｐを「０」とし、横軸の時刻Ｔは、スタート時の時刻を「０」として図示している。なお、スタート直後の高速車Ａ1及び低速車Ａ2は加速走行するので、この時の時刻と距離の関係はグラフに示されるような直線関数をなさないが、定速走行とみなして直線で図示している。また、紙面の大きさに合わせて縦軸及び横軸のスケールを一部省略して図示しているので、段差状に図示されている部分があるが、実際には直線である。図示されるように、同時にスタートする高速車Ａ1及び低速車Ａ2は、ドーリー装置１によってそれぞれの設定走行速度Ｖ1,Ｖ2で牽引され、各牽引解放位置Ｆ1,Ｆ2に到達時に該ドーリー装置１から解放され、本実施形態では、ここからは設定走行速度Ｖ1,Ｖ2よりも定量だけ減速した平均空走速度Ｖａ1,Ｖａ2で定速空走しながら更に設定衝突位置Ｒ1,Ｒ2に向けて走行するものと想定する。また、グラフ中の各牽引解放位置Ｆ1,Ｆ2から分岐する２点鎖線は、高速車Ａ1と低速車Ａ2が、それぞれの前記解放位置Ｆ1,Ｆ2に到達してもなお減速せずに、設定衝突位置Ｒ1,Ｒ2に向けて空走すると仮定した場合の時刻Ｔ及び距離Ｌの変化である。ここで、高速車Ａ1と低速車Ａ2が牽引解放後も減速せずに前記設定走行速度Ｖ1,Ｖ2で走行した場合に、それぞれの設定衝突位置Ｒ1,Ｒ2に到達して衝突すると想定される仮想衝突時刻Ｔciと、高速車Ａ1と低速車Ａ2がそれぞれの平均空走速度Ｖａ1,Ｖａ2で定速空走し、一定の減速の度合に応じて各設定衝突位置Ｒ1,Ｒ2に遅れて到達すると想定される第１及び第２の各設定位置到達時刻Ｔc1,Ｔc2との差より、第１及び第２の各テスト車両のそれぞれの遅れ時間ΔＴ1,ΔＴ2が、例えば式（3）〜（6）より求められる。
【００２０】
高速車Ａ1及び低速車Ａ2のそれぞれのスタート位置Ｓ1,Ｓ2から解放位置Ｆ1,Ｆ2までの牽引走行距離と空走距離とを、各々Ｌ1(S-F),Ｌ1(F-R),Ｌ2(S-F),Ｌ2(F-R)で表す。
Ｔci＝｛〔Ｌ1(S-F)〕＋〔Ｌ1(F-R)〕｝／Ｖ1
＝｛〔Ｌ2(S-F)〕＋〔Ｌ2(F-R)〕｝／Ｖ2                  (3）
Ｔc1＝〔Ｌ1(S-F)〕／Ｖ1 ＋〔Ｌ1(F-R)〕／Ｖa1               (4）
ΔＴ1＝Ｔc1−Ｔci
＝〔Ｌ1(F-R)〕／Ｖａ1−〔Ｌ1(F-R)〕／Ｖ1               (5）
同様にして、
ΔＴ2＝〔Ｌ2(F-R)〕／Ｖａ2−〔Ｌ2(F-R)〕／Ｖ2                (6）
【００２１】
ここで、仮に高速車Ａ1(「一方の」第１テスト車両)の設定衝突位置Ｒ1及びその到達時刻Ｔc1を基準にすれば、同到達時刻において、低速車Ａ2(「他方の」第２テスト車両)をも自身の設定衝突位置Ｒ2に到達させれば、所定の衝突形態に従った衝突試験を行うことができる。このためには、高速車Ａ1の前記到達時刻Ｔc1における低速車Ａ2の実空走位置Ｒ2(tc1)と、自身の設定衝突位置Ｒ2との差を第２補正距離ΔＬ2として求め、この補正距離分だけ低速車Ａ2のスタート位置Ｓ2をずらして同様に試験を行えばよい。該第２補正距離ΔＬ2は、前記仮想衝突時刻Ｔciにおける低速車Ａ2の平均空走速度Ｖａ2での空走位置Ｒ2(tci)を基端にして、ここと自身の第２設定衝突位置Ｒ2との間の距離、即ち低速車Ａ2の遅れ時間ΔＴ2内に、低速車Ａ2が空走する予定の未走距離Ｌ2(Δt2)と、同じく自身の第２実空走位置Ｒ2(tc1)との間の距離、即ち高速車Ａ1の遅れ時間ΔＴ1内に、低速車Ａ2が空走する仮想未走距離Ｌ2(Δt1)との差に該当する。よって前記第２補正距離ΔＬ2は、例えば式（7）〜（9）より求めることができる。
【００２２】
〔Ｌ2(Δt2)〕＝ΔＴ2×Ｖａ2
＝[〔Ｌ2(F-R)〕／Ｖａ2−〔Ｌ2(F-R)〕／Ｖ2]Ｖａ2     （7）
〔Ｌ2(Δt1)〕＝ΔＴ1×Ｖａ2
＝[〔Ｌ1(F-R)〕／Ｖａ1−〔Ｌ1(F-R)〕／Ｖ1]Ｖａ2     （8）
ΔＬ2＝〔Ｌ2(Δt1)〕−〔Ｌ2(Δt2)〕
＝Ｖａ2[〔Ｌ1(F-R)〕(１／Ｖａ1−１／Ｖ1）−
〔Ｌ2(F-R)〕(１／Ｖａ2−１／Ｖ2)]                （9）
【００２３】
（9）式に示されるように、第２補正距離ΔＬ2は、高速車Ａ1及び低速車Ａ2の牽引解放位置Ｆ1,Ｆ2と設定衝突位置Ｒ1,Ｒ2より決定される空走距離Ｌ1(F-R),Ｌ2(F-R)、及び設定走行速度Ｖ1,Ｖ2の予め定められた試験条件に加えて、準備走行試験での実測速度より求められる各平均空走速度Ｖａ1,Ｖａ2より算出されるので、高速車Ａ1及び低速車Ａ2のそれぞれの減速の度合を踏まえた数値となっている。各空走距離Ｌ1(F-R),Ｌ2(F-R)は、みなし衝突位置Ｐから所定長だけオフセットする低速車Ａ2の運転席や、側面衝突において避けることができない低速車Ａ2の１／２車幅に相当する各オフセット距離Ｌｄ1,Ｌｄ2を内包しており、この結果、上記した前記各減速の度合に加えて各オフセット距離を踏まえることによって、設定衝突位置どおりの所定の部位にて衝突する試験を行うことができ、テスト車両の損壊状況がより正確に再現され、衝突試験精度を向上できる。
【００２４】
なお、上記した説明では、高速車Ａ1の設定衝突位置Ｒ1及びその到達時刻Ｔc1を基準にして、低速車Ａ2のスタート位置Ｓ2を補正すべく第２補正距離ΔＬ2を求める方法について示したが、第２テスト車両のスタート位置Ｓ2をそのまま移動させずに、高速車Ａ1の側のスタート位置Ｓ1をずらす場合にも同様にして算出でき、同じ作用効果が奏される。即ち、第１補正距離ΔＬ1は、式（10）より求められる。
ΔＬ1＝〔Ｌ1(Δt2)〕−〔Ｌ1(Δt1)〕
＝Ｖａ1｛〔Ｌ2(F-R)〕(１／Ｖａ2−１／Ｖ2）−
〔Ｌ1(F-R)〕(１／Ｖａ1−１／Ｖ1）｝               （10）
【００２５】
更に、スタート位置の補正方法について補足する。図３のグラフの牽引解放位置Ｆ2にて屈折する低速車Ａ2のＬ−Ｔ直線を、補正距離ΔＬ2だけ縦（距離）軸のプラス（上）方向に向けて平行移動すると、低速車Ａ2の前記実空走位置Ｒ2(tc1)やスタート位置Ｓ2において、補正距離ΔＬ2分がプラスされたＬ−Ｔ直線が得られる。このことは、低速車Ａ2のスタート位置Ｓ2を第２補正距離ΔＬ2だけみなし衝突位置Ｐよりもスタート側にずらすことによって、高速車Ａ1が設定衝突位置Ｒ1に到達する前記時刻Ｔc1での低速車Ａ2の空走位置を、自身の設定衝突位置Ｒ2に導けることを意味しており、高速車Ａ1のフロント部先端が、低速車Ａ2の側面から運転席付近に突っ込む衝突形態が実現される。実際にスタート位置をずらすためには、ドーリー装置１と低速車Ａ2の牽引ワイヤー２との取付位置を変更する作業を行うことで対応できる。
【００２６】
また、例えば前記補正距離ΔＬ2が想定以上に大きい場合には、スタート位置Ｓ2の補正に加えて、牽引解放位置Ｆ2もずらして補正する方法がある。これは、該補正距離ΔＬ2の牽引走行距離Ｌ2(S-F)に対する空走距離Ｌ2(F-R)の比倍の解放位置補正距離ΔＬ21｛＝ΔＬ2×〔Ｌ2(F-R)／Ｌ2(S-F)〕｝分だけ牽引解放位置Ｆ2をずらす方法であって、実際には、ガイドレールＧ1に装着されたストライカー５（牽引ツールの解放装置）の取付位置を、該補正距離ΔＬ21だけ移動させることによって対応する（図５参照）。この補正によって、スタート位置変更前後において走行状態を相似的に変化させられる利点があり、スタート位置Ｓ2の補正に加えて更に衝突精度を向上させれる。なお、図５のＳ2'は、補正距離ΔＬ2だけ元のスタート位置Ｓ2をずらした補正後のスタート位置を示す。また、説明を解り易くするために、図５の補正距離ΔＬ2及び解放位置補正距離ΔＬ21の長さについては、走行線Ｍ2に沿った各種寸法に対する比を無視して図示した。
【００２７】
なお、上記した実施形態では、２台のテスト車両の各走行線が直交する側面衝突の場合について説明したが、９０°以外の衝突角度の斜め側面衝突の場合でも、同様にオフセット距離を定めて実施可能である。また、正面衝突の場合には、側面衝突よりも、例えば車幅等のオフセット距離の影響を受けないので、異なる減速の度合による衝突部位のずれが生じにくいが、本発明の補正を同様に実施可能である。
【００２８】
更に、空走時の減速について補足する。空走時の減速原因の代表的なものとしては、車の内部機構のロス(ギア、軸受等の摩擦によるメカロス)、タイヤのころがり抵抗、走行時に車体が受ける空気抵抗が挙げられる。この中でもメカロスによる減速が一番大きく、よって、同じ設定走行速度の２台のテスト車両での衝突試験時には、各走行速度の差自体による衝突部位の大きなずれは生じないものの、車種が異なれば内部機構のロスが異なるので、結果的に衝突試験の精度向上に寄与できる。また、空気抵抗を除いて、メカロスところがり抵抗とによる減速は、車速によらずに一定値とみなされており、通常は、空走速度変化による減速の度合の変化を無視して、平均空走速度を一定値と定めても差支えない。しかしながら、より高精度の衝突試験を行うためには、車速の変化に対応するメカロス変化を踏まえて平均空走速度を求めたり、数箇所で実空走速度を測定しながら、平均空走速度を求める方法がある。逆に、より簡易に平均空走速度を定めるためには、予め解っている経験からの推定値による平均空走速度（設定走行速度に対する減速の度合）を用いて、これより補正距離を算出する方法もあって、必ずしも準備走行試験を行う必要は無い。
【図面の簡単な説明】
【００２９】
【図１】本実施形態に係る側面衝突試験を平面視において説明する模式的な図である。
【図２】同じく、高速車Ａ1側の正面視において説明する簡略図である。
【図３】高速車Ａ1及び低速車Ａ2がスタート時から衝突に至る時間内に、それぞれ走行又は空走する距離変化を示すグラフである。
【図４】同じく、主に衝突直前の変化について、拡大表示したグラフである。
【図５】低速車Ａ2のスタート位置Ｓ2と牽引解放位置Ｆ2との補正について示した模式図である。
【符号の説明】
【００３０】
Ａ1：高速車（第１テスト車両）
Ａ2：低速車（第２テスト車両）
Ｆ1,Ｆ2：牽引解放位置
Ｌ1(Δt1),Ｌ2(Δt2)：未走距離
Ｌ1(Δt2),Ｌ2(Δt1)：仮想未走距離
ΔＬ1,ΔＬ2：補正距離
Ｒ1,Ｒ2：設定衝突位置
Ｓ1,Ｓ2：スタート位置
ΔＴ1,ΔＴ2：遅れ時間
Ｖ1,Ｖ2：設定走行速度
Ｖa1,Ｖa2：平均空走速度
【図１】
2005274246.tif 000003
【図２】
2005274246.tif 000004
【図３】
2005274246.tif 000005
【図４】
2005274246.tif 000006
【図５】
2005274246.tif 000007